(57)【要約】      （修正有）【課題】緊急事態発生時に状況に応じて選択した箇所に設置し得るハンディー誘導灯装置を提供する。【解決手段】誘導表示部１１２，１２２と、誘導表示部を照明する発光手段と、緊急音を発する発音手段と、発光手段および発音手段に給電する電池と、電池と発光手段および発音手段との接続を行うスイッチと、誘導表示部が表面に配され、発光手段、発音手段、電池およびスイッチを内部に収容する筐体１１１，１２１と、筐体の外部から操作してスイッチをオンにする操作手段１１３，１２３とをそなえる。【選択図】図１
0003189216.tif 000002
【実用新案登録請求の範囲】
【請求項１】
誘導表示部と、
前記誘導表示部を照明する発光手段と、
緊急音を発する発音手段と、
前記発光手段および発音手段に給電する電池と、
前記電池と前記発光手段および前記発音手段との接続を行うスイッチと、
前記誘導表示部が表面に配され、前記発光手段、前記発音手段、前記電池および前記スイッチを内部に収容する筐体と、
前記筐体の外部から操作して前記スイッチをオンにする操作手段と
をそなえたハンディー誘導灯装置。
【請求項２】
請求項1記載のハンディー誘導灯装置において、
前記操作手段は、前記筐体から引き抜くことにより前記スイッチをオンにするピン構造であることを特徴とするハンディー誘導灯装置。
【請求項３】
請求項1記載のハンディー誘導灯装置において、
前記発光手段は、点滅表示を行うことを特徴とするハンディー誘導灯装置。
【考案の詳細な説明】
【技術分野】
【０００１】
本考案は、緊急時に避難経路を案内するため緊急設置するハンディー誘導灯装置に係り、とくに緊急事態発生時に所要個所に適宜置いて避難経路を表示する手置き型装置に関する。
【背景技術】
【０００２】
公共性のある建物では、緊急時の避難経路を示す避難誘導灯が壁面とか天井に固定設置されており、避難者は予め定められた避難経路に沿って避難することになる。そして、避難誘導灯は、電源喪失に備えて蓄電装置と組み合わされているのが通例であり、停電事故が発生しても誘導機能が確保されるようになっている。また、これをさらに強化して発電機能まで持ったものも提供されている（特許文献１参照）。
【０００３】
一方、壁面とか天井への固定設置型だけでは不十分として、床面とか階段に設置する避難誘導システムも提案されている（特許文献２参照）。
【先行技術文献】
【特許文献】
【０００４】
【特許文献１】特開2008-140600号公報
【特許文献２】特開2006-215703号公報  しかしながら、上記各装置は、緊急事態発生後の状況に最適と思われる避難経路を表示するには不十分な面がある。
【考案の開示】
【考案が解決しようとする課題】
【０００５】
本考案は上述の点を考慮してなされたもので、緊急事態発生時に状況に応じて選択した箇所に設置し得るハンディー誘導灯装置を提供することを目的とする。
【課題を解決するための手段】
【０００６】
上記目的達成のため、本考案では、
誘導表示部と、
前記誘導表示部を照明する発光手段と、
緊急音を発する発音手段と、
前記発光手段および発音手段に給電する電池と、
前記電池と前記発光手段および発音手段との接続を行うスイッチと、
前記誘導表示部が表面に配され、前記発光手段、前記発音手段、前記電池および前記スイッチを内部に収容する筐体と、
前記筐体の外部から操作して前記スイッチをオンにする操作手段と
をそなえたハンディー誘導灯装置、
を提供するものである。
【考案の効果】
【０００７】
本考案は上述のように、筐体の表面に誘導表示を有し、筐体の内部に発光手段、発音手段、電池およびスイッチを収容し、操作手段により筐体外部からスイッチを操作して緊急避難誘導を行うようにしたため、適切な箇所に単に置くだけで避難誘導路を表示することができ、安全対策上非常に有効である。
【図面の簡単な説明】
【０００８】
【図１】図１(a），（b）は、本考案の一実施例の外観を示す説明図。
【図２】本考案の一実施例に組み込まれる表示回路を示す回路図。
【図３】図３(a)は、本考案の一実施例の内部構造を示すための平面図、図３(b）は図３(a)のＡ-Ａ線に沿う断面図。
【考案を実施するための最良の形態】
【０００９】
以下、添付図面を参照して本考案の実施の形態を説明する。
【実施例１】
【００１０】
図1は、本考案の一実施例の外観形状を示したもので、図１(a）は例えば緑色の非常口の表示がある表示装置１１０、図１(b）は例えば緑色の避難方向の表示がある表示装置１２０で、何れの表示装置１１０，１２０も表示以外の構成は同じである。これら２種の表示は、表示装置の表、裏に各別に使用してもよい。
【００１１】
この実施例は、筐体１１１，１２１の全体形状が、角部がやや丸みを帯びた厚みのある矩形状をしており、その一面中央に表示１１２，１２２が配され、表示１１２，１２２の両側には指掛け用の凹条または突条１１１ｐ，１２１ｐが数条ずつ設けられ、筐体１１１，１２１の一端面には、平板型でストラップ付きの引き抜きピン１１３，１２３が設けられている。
【００１２】
表示１１２，１２２は、筐体１１１，１２１の内部に組み込まれた発光手段（図示せず）により照明されて発光表示する。また、筐体１１１，１２１内に組み込まれた発音手段としてのスピーカ（図示せず）により音声案内がなされる。
【００１３】
このような表示装置１１０，１２０を、誘導係の人員が、引き抜きピン１１３，１２３を引き抜いて電源をオンにした上で、避難経路沿いの適切な場所に置いていく。避難する人々は、この表示装置による発光表示および音声表示を目安に、避難方向の見当を付けて避難する。
【００１４】
その後、誘導係の人員は、設置作業後に手許に残った引き抜きピンの数から、設置し終わった誘導灯装置の数を確認することができる。設置場所等に応じてストラップを予め色分けしておけば、設置済みの誘導灯装置につき、場所とその数を把握することもできる。
【００１５】
図２は、筐体１１１，１２１内に組み込まれる回路を示している。この回路は、例えばボタン電池等の小型の電池Ｂを電源とし、引き抜きピン１１３，１２３の引き抜きによりオンとなるスイッチＳＷを介して、電池Ｂから給電されて作動する点滅回路１および発音回路２を含む。
【００１６】
点滅回路１は、給電されると間欠的な出力信号を発光素子ＬＥＤに与えて、発光素子ＬＥＤを点滅発光させる。点滅動作は、例えば１秒点灯、０．５秒滅灯の繰り返しである。
【００１７】
また、発音回路２は、音声信号をスピーカＳＰに与えて緊急性のある音声、例えば「ピー、ピー、ピー、…」なる音声を発音させる。
【００１８】
そして、点滅回路１による発光表示と発音回路２による音声表示とによって、避難する人々は、避難経路等を正しく認識し避難する。
【００１９】
図３は、上記実施例の内部構造を示すためのもので、図３(a)は、本考案の実施例の断面位置Ａ−Ａを示す平面図、図３(b)は図３(a)のＡ−Ａ線に沿う断面を示したものである。
【００２０】
前述の通り、角部がやや丸みを帯びた厚みのある矩形状の筐体１３１には表示１３２および引き抜きピン１３３が配され、引き抜きピン１３３は、筐体１３１から外方に突出したストラップ付きの操作部を有する。表示１３２の両側には、指懸け用の凹条または突条１３１ｐが設けられている。
【００２１】
図３(a)は、筐体１３１の外観を示しているが、表示１３２の表示内容は、図示を省略している。図３(b)の断面から分るように、筐体１３１は、上カバー１３１ａと下カバー１３１ｂとの合わせ構造である。
【００２２】
そして、上カバー１３１ａと下カバー１３１ｂとの合わせ部端面に引き抜きピン１３３が差し込まれており、この引き抜きピン１３３をストラップごと引き抜くと、これにより導通してオンするように構成されたスイッチ（図示せず）が設けられている。
【００２３】
スイッチがオンすると、電池１３４が、回路基板１３５上の発光回路および発音回路に給電を始め、発光素子１３６が発する光を導光板１３７に与えるから表示装置の面発光動作が行われ、図示しないスピーカから緊急音声が発音される。
【００２４】
この表示装置は、基本的には回収を予定しないものであり、各要素が動作を終了することで使命を終了する。
【符号の説明】
【００２５】
１  点滅回路、２  発音回路、
１１０，１２０，１３０  表示装置、
１１１，１２１，１３１  筐体、
１１１ｐ，１２１ｐ，１３１ｐ  凹条または突条、
１１２，１２２，１３２  表示部、１１３，１２３，１３３  引き抜きピン、
１３１ａ  上カバー、１３１ｂ  下カバー、１３４  電池、１３５  回路基板、１３６  発光素子、１３７  導光板、
Ｂ  電池、ＳＷ  スイッチ、ＬＥＤ  発光素子。
【図１】
0003189216.tif 000003
【図２】
0003189216.tif 000004
【図３】
0003189216.tif 000005